(57)【要約】【課題】介護者等の使用者が被介護者等の人の身体を簡単かつ確実に支え保つことができる身体支保用グローブを提供する。【解決手段】身体支保用グローブ１は、介護、医療、保育あるいは養護等の作業現場において人の身体を支え保つ際に使用される身体支保用グローブであって、人の手の第２指Ｆ２から第５指Ｆ５における第２関節Ｆ２ｂ，Ｆ３ｂ，Ｆ４ｂ，Ｆ５ｂと第３関節Ｆ２ｃ，Ｆ３ｃ，Ｆ４ｃ，Ｆ５ｃの間に対応する位置において弾性を有する指締付部１０が設けられている。指締付部１０は、弾性により人の手の第２指Ｆ２から第５指Ｆ５までを掌Ｐの幅方向内側に締め付ける。【選択図】図２
2017089025.tif 000002
【特許請求の範囲】
【請求項１】
介護、医療、保育あるいは養護等の作業現場において人の身体を支え保つ際に使用される身体支保用グローブであって、
人の手の第２指から第５指における第２関節と第３関節の間に対応する位置において弾性を有する指締付部が設けられ、                                             
該指締付部は、弾性により人の手の第２指から第５指までを掌の幅方向内側に締め付けることを特徴とする身体支保用グローブ。
【請求項２】
前記指締付部は、人の手の第２指から第５指の周囲を囲む態様に形成されている請求項１に記載の身体支保用グローブ。
【請求項３】
前記指締付部は、掌を覆う掌部に連続する態様で糸条部材により編まれている請求項１または請求項２に記載の身体支保用グローブ。
【請求項４】
第２指から第５指までが挿入される指入部が第２指から第５指の第３関節から指先方向に延びる端部開口の筒状に形成され、該指入部の端部が掌の方向に折り返されることにより前記指締付部が設けられる請求項１から請求項３のいずれかに記載の身体支保用グローブ。
【請求項５】
前記指締付部は、弾性糸を含む糸条部材により編まれている請求項１から請求項４のいずれかに記載の身体支保用グローブ。
【請求項６】
前記指締付部は、糸条部材に対する弾性糸の重量比率が５％〜９％である請求項５に記載の身体支保用グローブ。
【請求項７】
前記指締付部は、掌の幅方向の１ｋｇ重の引張力に対して２５％〜１２０％の伸び率を有する請求項１から請求項６のいずれかに記載の身体支保用グローブ。
【発明の詳細な説明】
【技術分野】
【０００１】
本発明は、介護、医療、保育あるいは養護等の作業現場において人の身体を支え保つ際に使用される身体支保用グローブに関するものである。
【背景技術】
【０００２】
介護、医療、保育あるいは養護等の現場において、介護、治療、保育あるいは養護する者（以下、介護者等という）は、介護、治療、保育あるいは養護される者（以下、被介護者等という）をしばしば抱き起こしたり、あるいは持ち上げたりしなければならない。例えば、被介護者等をトイレや浴室に連れていく場合や、車椅子に乗せる場合、ベッドに戻す場合、着替えさせる場合、あるいは歩行訓練させる場合に、抱き起こしたり、あるいは持ち上げたりする必要がある。この抱き起しは、図５（ａ）に示すように、介護者等Ａが被介護者等Ｂの背中側の肩に自身の腕を沿わせるようにして、図５（ｂ）に示すように、被介護者等Ｂの肩を斜め前方に抱き起こすことにより行われる。また、持ち上げは、例えば、介護者等が被介護者等の前または後から背中または腹に自身の腕を回して、被介護者等の胴体を上方に持ち上げることにより行われる。
【０００３】
このように抱き起しあるいは持ち上げなどのように被介護者等の身体を支え保つに際して、通常、被介護者等は全身の筋肉を弛緩させた状態になっているため、介護者等は被介護者等の身体を支え保つために大きな力を作用させる必要があり、介護者等の負担が非常に大きかった。
【０００４】
そこで、近年、介護者等の身体にパワーアシストスーツを取り付けたり（特許文献１参照）、介護・医療・保育・養護用支援ロボットを利用するなどして、介護者等が被介護者等の身体を支え保つことが注目されている。
【先行技術文献】
【特許文献】
【０００５】
【特許文献１】特開２０１５−４７６６２号公報
【発明の概要】
【発明が解決しようとする課題】
【０００６】
しかしながら、パワーアシストスーツや介護・医療・保育・養護用支援ロボットは非常に高額である上に、介護者等にとって装着や設置が面倒であるという問題があった。
【０００７】
本発明は、上述の技術的背景に鑑みてなされたものであり、介護者等の使用者が被介護者等の人の身体を簡単かつ確実に支え保つことができる身体支保用グローブを提供することを目的とする。
【課題を解決するための手段】
【０００８】
本発明は、上記目的を達成するために、介護、医療、保育あるいは養護等の作業現場において人の身体を支え保つ際に使用される身体支保用グローブであって、人の手の第２指から第５指における第２関節と第３関節の間に対応する位置において弾性を有する指締付部が設けられ、該指締付部は、弾性により人の手の第２指から第５指までを掌の幅方向内側に締め付けることを特徴とする。
【０００９】
これによれば、人の手の第２指から第５指が指締付部により掌の幅方向内側に締め付けられることにより、人の手の前腕または／および上腕の筋力が発揮され易くなるため、介護者等の使用者が被介護者等の人の身体を簡単かつ確実に支え保つことができる。
【００１０】
また、前記指締付部は、前記指締付部は、人の手の第２指から第５指の周囲を囲む態様に形成されているのが好ましい。これによれば、第２指から第５指までを掌の幅方向内側に確実に締め付けることができる。
【００１１】
また、前記指締付部は、掌を覆う掌部に連続する態様で糸条部材により編まれているのが好ましい。これによれば、身体支保用グローブを連続的に製造し得るため、製造コストを低減することができる。
【００１２】
また、第２指から第５指までが挿入される指入部が第２指から第５指の第３関節から指先方向に延びる端部開口の筒状に形成され、該指入部の端部が掌の方向に折り返されることにより前記指締付部が設けられるのが好ましい。これによれば、指締付部を簡易な構成にして簡単かつ確実に設けることできるとともに、指締付部が二重構造になって掌の幅方向内側に十分な締付力を作用させることができる。
【００１３】
また、前記指締付部は、弾性糸を含む糸条部材により編まれているのが好ましい。これによれば、指締付部が指の屈伸に追随して柔軟に変形するため、指をスムーズに屈伸させることができる。
【００１４】
また、前記指締付部は、糸条部材に対する弾性糸の重量比率が５％〜９％であるのが好ましい。これによれば、指締付部において、糸条部材に対する弾性糸の重量比率が５％以上であるため、十分な締付力で第２指から第５指までを掌の幅方向内側に締め付けることができる。一方、糸条部材に対する弾性糸の重量比率が９％以下であるため、第２指から第５指までを過剰に締め付けて手が鬱血することを防止することができる。
【００１５】
また、前記指締付部は、掌の幅方向の１ｋｇ重の引張力に対して２５％〜１２０％の伸び率を有するのが好ましい。これによれば、指締付部が人の手の第２指から第５指までを掌の幅方向内側に適度な締付力で締め付けることができる。
【発明の効果】
【００１６】
本発明によれば、人の手の第２指から第５指が指締付部により掌の幅方向内側に締め付けられることにより、人の手の前腕または／および上腕の筋力が発揮され易くなるため、介護者等の使用者が被介護者等の人の身体を簡単かつ確実に支え保つことができる。
【００１７】
また、本発明は構成が簡易である上に装着が容易であるため、パワーアシストスーツや介護・医療・保育・養護用支援ロボットを使用する場合に比べ、導入コスト、運用コストおよび管理コストを大幅に低減することができる。
【００１８】
このため、介護、医療、保育、養護等の作業現場において、介護者等の負担が軽減され、介護者等が介護、医療、保育あるいは養護に係る作業を持続的に行うことができ、ひいては事業者は介護、医療、保育あるいは養護のサービスを安価に提供することが可能となる。
【図面の簡単な説明】
【００１９】
【図１】本発明に係る身体支保用グローブの第１の状態を示す斜視図である。
【図２】本発明に係る身体支保用グローブの第２の状態を示す斜視図である。
【図３】図２の身体支保用グローブの横断面図である。
【図４】図２の身体支保用グローブの縦断面図である。
【図５】被介護者等の身体の抱き起しの手順を示す図である。
【発明を実施するための形態】
【００２０】
次に、本発明に係る身体支保用グローブ（以下、本グローブという）の実施形態について図１〜図４を参照しつつ説明する。なお、以下の説明において、手の第１指Ｆ１は母指、第２指Ｆ２は示指、第３指Ｆ３は中指、第４指Ｆ４は薬指、第５指Ｆ５は小指を意味する語句である。また、各指Ｆ１〜Ｆ５における各第１関節には「ａ」、各第２関節には「ｂ」、各第３関節には「ｃ」を、各指の符号Ｆ１〜Ｆ５の後に付すものとする。
【００２１】
本グローブ１は、介護、医療、保育あるいは養護等の作業現場において人の身体を支え保つ際に使用されるものであり、第１指Ｆ１が挿入される第１の指入部１ａと、第２指Ｆ２から第５指Ｆ５までの全指がまとめて挿入される第２の指入部１ｂと、掌Ｐが挿入される掌部１ｃと、手首が挿入される手首部１ｄとを備え、弾性糸を含む糸条部材により連続的に編まれている。このため、本グローブ１は、長さ方向および幅方向に伸縮可能であり、装着される手の大きさ・形状を問わないフリーサイズとして使用することができる。
【００２２】
なお、本実施形態において、本グローブ１は綿、アクリル、ナイロン、ポリウレタン、ポリエステル等により構成される。
【００２３】
前記第１の指入部１ａは、第１指Ｆ１よりも径小に形成されるとともに、第１指Ｆ１の第２関節Ｆ１ｂから指先方向に延びる端部開口の略円筒状に形成されている。そして、この第１の指入部１ａが、図２に示すように、指先側の端部が掌Ｐの方向に折り返されることにより、二重構造の第１の指締付部１０が設けられる。
【００２４】
この第１の指締付部１０は、第１指Ｆ１の第１関節Ｆ１ａと第２関節Ｆ１ｂの間に対応する位置において、第１指Ｆ１の周囲を囲む態様で配置され、その弾性により第１指Ｆ１を径方向内側に締め付ける。このため、後述する第２の指締付部２０と相俟って、人の手の前腕または／および上腕の筋力が一層発揮され易くなる。
【００２５】
前記第２の指入部１ｂは、第２指Ｆ２〜第５指Ｆ５の幅よりも幅小に形成されるとともに、第２指Ｆ２〜第５指Ｆ５の第３関節Ｆ２ｃ〜Ｆ５ｃから第１関節Ｆ２ａ〜Ｆ５ａまで延びる端部開口の略長円筒状に形成されている。そして、この第２の指入部１ｂが、図２に示すように、指先側の端部が掌Ｐの方向に折り返されることにより、二重構造の第２の指締付部２０が設けられる。
【００２６】
この第２の指締付部２０は、第２指Ｆ２〜第５指Ｆ５の第３関節Ｆ２ｃ〜Ｆ５ｃから第２関節Ｆ２ｂ〜Ｆ５ｂの間に対応する位置において、第２指Ｆ２〜第５指Ｆ５の周囲を囲む態様で配置され、その弾性により第２指Ｆ２から第５指Ｆ５を掌Ｐの幅方向内側（（図３の左右の矢符方向）および厚さ方向（図３の上下の矢符方向）に締め付ける。このため、人の手の第２指Ｆ２から第５指Ｆ５が第２の指締付部２０により掌Ｐの幅方向内側に締め付けられることにより、人の手の前腕または／および上腕の筋力が発揮され易くなるため、介護者等Ａの使用者が被介護者等Ｂの人の身体を簡単かつ確実に支え保つことができる。
【００２７】
具体的に説明すると、本グローブ１を装着しない素手の場合、第２指Ｆ２から第５指Ｆ５が強制的に閉じられないため、掌Ｐの虫様筋が使われず、虫様筋に接続されている前腕または／および上腕の腱が円滑に動作し得ない。この状態のもと、前腕または／および上腕の筋肉が使われると、腹筋と脊柱起立筋が効果的に刺激されないため、腹筋と脊柱起立筋に力が入り難い。
【００２８】
これに対して、本グローブ１を装着した場合、第２指Ｆ２から第５指Ｆ５が掌Ｐの幅方向内側に締め付けられることにより、第２指Ｆ２から第５指Ｆ５が強制的に閉じて掌Ｐの虫様筋が使われ、虫様筋に接続されている前腕または／および上腕の腱が円滑に動作し得る状態が整う。この状態のもと、前腕または／および上腕の筋肉が使われると、使われる筋肉が最低限の筋肉であっても腹筋と脊柱起立筋が大きく刺激され、腹筋と脊柱起立筋に力が入り易くなる。従って、介護者等Ａは被介護者等Ｂの身体を支え保つ際の体の軸が安定し、前腕または／および上腕の筋力が発揮され易くなる。また、介護者等Ａが被介護者等Ｂの身体を支え保ちながら歩行し易くなる。
【００２９】
また、前記第２の指締付部２０は、第２指Ｆ２から第５指Ｆ５にかけて掌Ｐの幅方向に延び、第５指Ｆ５の端部で手の甲側に回り込んだあと、第５指Ｆ５から第２指Ｆ２にかけて手の甲の幅方向に延び、第２指Ｆ２の端部で掌Ｐ側に回り込んで戻る態様の環状に形成されている。このため、第２の指締付部２０が人の手の第２指Ｆ２から第５指Ｆ５の周囲を囲むため、第２指Ｆ２から第５指Ｆ５までを掌Ｐの幅方向内側に確実に締め付けることができる。
【００３０】
また、前記第２の指締付部２０は、第２の指入部１ｂが掌Ｐの方向に折り返されることにより設けられるため、第２の指締付部２０を簡易な構成にして簡単かつ確実に設けることができるとともに、第２の指締付部２０が二重構造になって掌Ｐの幅方向内側に十分な締付力を作用させることができる。
【００３１】
また、前記第２の指締付部２０は、掌Ｐを覆う掌部１ｃに連続する態様で編まれている。このため、本グローブ１を連続的に製造し得るため、製造コストを低減することができる。
【００３２】
また、前記第２の指締付部２０は、弾性糸が掌Ｐの幅方向に平行となる態様で設けられている。このため、弾性糸が掌Ｐの幅方向に確実に伸縮するため、第２の指締付部２０が第２指Ｆ２から第５指Ｆ５までを掌Ｐの幅方向内側に確実に締め付けることができる。
【００３３】
また、前記第２の指締付部２０は、前記第２の指締付部２０は、糸条部材に対する弾性糸の重量比率が５％〜９％である。このため、第２の指締付部２０において、糸条部材に対する弾性糸の重量比率が５％以上であるため、十分な締付力で第２指Ｆ２から第５指Ｆ５までを掌Ｐの幅方向内側に締め付けることができる。一方、糸条部材に対する弾性糸の重量比率が９％以下であるため、第２指Ｆ２から第５指Ｆ５までを過剰に締め付けて手が鬱血することを防止することができる。なお、本実施形態において、前記弾性糸は、弾性を有するポリウレタンを芯とし、その周囲にポリエステルの繊維を被覆して構成されたスパンデックスフィラメント糸である。
【００３４】
また、前記第２の指締付部２０は、掌Ｐの幅方向の１ｋｇ重の引張力に対して２５％〜１２０％の伸び率を有する。このため、第２の指締付部２０が人の手の第２指Ｆ２から第５指Ｆ５までを掌Ｐの幅方向内側に適度な締付力で締め付けることができる。
【００３５】
さらに、前記第２の指締付部２０は、厚みＤが６ｍｍ〜１５ｍｍに形成され、高さＨが１０ｍｍ〜３５ｍｍ、好ましくは２０ｍｍ〜２５ｍｍ、幅Ｗが５５ｍｍ〜８０ｍｍに形成されている。このように厚みＤが６ｍｍ以上であることより、第２指Ｆ２から第５指Ｆ５までの全指に十分な締付力を作用させることができるとともに、第２の指締付部２０が緩衝材として機能し支保される被介護者等Ｂの負担を軽減することができる。一方、厚みＤが１５ｍｍ以下であることより、各指Ｆ２〜Ｆ５を屈伸させる際の第２の指締付部２０による違和感を小さくすることができる。また、高さＨが１０ｍｍ以上であることより、第２指Ｆ２から第５指Ｆ５までの全指に確実に締付力を作用させることができ、高さＨが３５ｍｍ以下であることより、第２の指締付部２０が第２指Ｆ２〜第５指Ｆ５の屈伸を阻害することを防止することができる。
【００３６】
前記掌部１ｃは、手首から第２指Ｆ２〜第５指Ｆ５の第３関節Ｆ２ｃ〜Ｆ５ｃまで延びる筒形状に形成されており、側方において第１の指入部１ａと連続する態様で編まれ、先端部において第２の指入部１ｂと連続する態様で編まれている。
【００３７】
前記手首部１ｄは、上腕からの掌Ｐの方向に延びる筒形状に形成されており、先端部において掌部１ｃと連続する態様で編まれている。この手首部１ｄは、厚みを有する態様で手首より径小に設けられている。このため、手首部１ｄは、本グローブ１が装着された際に、手首の径方向内側に収縮して手首の周面に密着する。
【００３８】
次に、本グローブ１の使用方法について説明する。
【００３９】
まず、介護者等Ａは、図１に示すように、本グローブ１の手首部１ｄの基端部から手を挿入することにより、手に本グローブ１を装着する。このとき、第１指Ｆ１が第１の指入部１ａに挿入され、第２指Ｆ２から第５指Ｆ５までが第２の指入部１ｂに挿入される。
【００４０】
次に、介護者等Ａは、図２に示すように、第１の指入部１ａの指先側と第２の指入部１ｂの指先側の端部を掌Ｐの方向に折り返す。このとき、第１指Ｆ１の第１関節Ｆ１ａと第２関節Ｆ１ｂの間に対応する位置に二重構造の第１の指締付部１０が設けられるとともに、第２指Ｆ２〜第５指Ｆ５の第２関節Ｆ２ｂ〜Ｆ５ｂと第３関節Ｆ２ｃ〜Ｆ５ｃの間に対応する位置に二重構造の第２の指締付部２０が設けられる。
【００４１】
すると、図３に示すように、第１の指締付部１０が、弾性により第１指Ｆ１を径方向内側に締め付けるとともに、第２の指締付部２０が、弾性により第２指Ｆ２から第５指Ｆ５までを掌Ｐの幅方向内側（図３の左右の矢符方向）および厚さ方向内側（図３の上下の矢符方向）に締め付ける。このように、特に人の手の第２指Ｆ２から第５指Ｆ５が第２の指締付部２０により掌Ｐの幅方向内側に締め付けられることにより、人の手の前腕または／および上腕の筋力が発揮され易くなるため、介護者等Ａの使用者が被介護者等Ｂの人の身体を簡単かつ確実に支え保つことができる。
【００４２】
このため、図５（ａ）に示すように、介護者等Ａが被介護者等Ｂの背中側の肩に自身の腕を沿わせるようにして、図５（ｂ）に示すように、被介護者等Ｂの肩を斜め前方に抱き起こすことにより、被介護者等Ｂの抱き起しを容易に行うことが可能となる。
【００４３】
また、介護者等Ａが被介護者等Ｂの前または後から背中または腹に自身の腕を回して、被介護者等Ｂの胴体を上方に持ち上げることにより、被介護者等Ｂの持ち上げを容易に行うことが可能となる。
【００４４】
なお、上記実施形態では、前記第２の指締付部２０の厚みＤが６ｍｍ〜１５ｍｍに形成されている場合について説明したが、厚みＤが６ｍｍ未満あるいは１５ｍｍを超える態様で形成されてもよい。
【００４５】
また、前記第２の指締付部２０の高さＨが１０ｍｍ〜７０ｍｍに形成されている場合について説明したが、高さＨが１０未満あるいは７０ｍｍを超える態様で形成されてもよい。
【００４６】
また、前記第２の指締付部２０の幅Ｗが５５ｍｍ〜８０ｍｍに形成されている場合について説明したが、幅Ｗが５５ｍｍ未満あるいは８０ｍｍを超える態様で形成されてもよい。
【００４７】
また、前記第２の指締付部２０が、掌Ｐの幅方向の１ｋｇ重の引張力に対して２５％〜１２０％の伸び率を有する場合について説明したが、２５％未満あるいは１２０％を超える伸び率を有してもよい。
【００４８】
また、前記第２の指締付部２０は、弾性糸が掌Ｐの幅方向に平行して設けられている場合について説明したが、弾性糸が幅方向以外の方向に設けられてもよいし、交差して設けられてもよい。
【００４９】
また、前記第２の指締付部２０は、弾性糸を含む糸条部材により編まれている場合について説明したが、弾性糸を含まない糸条部材により編まれてもよい。
【００５０】
また、前記第２の指締付部２０は、掌Ｐを覆う掌部１ｃに連続する態様で糸条部材により編まれている場合について説明したが、掌Ｐを覆う掌部１ｃと連続しない態様で糸条部材により編まれていてもよいし、糸条部材以外の部材で構成されてもよい。
【００５１】
また、前記第２の指締付部２０は、第２の指入部１ｂが折り返されることにより二重構造に設けられる場合について説明したが、第２の指入部１ｂがさらに折り返されることにより三重以上の構造に設けられてもよい。
【００５２】
また、前記第２の指締付部２０は、環状に形成されている場合について説明したが、周方向の一部が途切れた形状に形成されてもよい。
【００５３】
また、前記第２の指締付部２０は、介護者等Ａの使用者によって第１の指入れ部１ａおよび第２の指入れ部２ａの端部が掌Ｐの方向に折り返されるものとしたが、製造過程においてあらかじめ折り返されていてもよい。
【００５４】
また、前記本グローブ１は、第１の指締付部１０が設けられる場合について説明したが、第１の指締付部１０が設けられなくてもよい。
【００５５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５６】
１…身体支保用グローブ（本グローブ）
１ａ…第１の指入部
１ｂ…第２の指入部
１ｃ…掌部
１ｄ…手首部
１０…指締付部
２０…指締付部
Ｐ…掌
Ｆ１…第１指  
Ｆ１ａ…第１指の第１関節
Ｆ１ｂ…第１指の第２関節
Ｆ２〜Ｆ５…第２指〜第５指  
Ｆ２ａ〜Ｆ５ａ…第２指〜第５指の第１関節
Ｆ２ｂ〜Ｆ５ｂ…第２指〜第５指の第２関節
Ｆ２ｃ〜Ｆ５ｃ…第２指〜第５指の第３関節
【図１】
2017089025.tif 000003
【図２】
2017089025.tif 000004
【図３】
2017089025.tif 000005
【図４】
2017089025.tif 000006
【図５】
2017089025.tif 000007